(57)【要約】【課題】  視野角が広く、構成が簡便かつ省電力型で、さらに好みの表示を所望の位置に配置することができる発光表示装置を提供する。【解決手段】  発光表示装置において、枠部材２とコネクタ４が装着されるコネクタ収納部３を有するベース１と、このベース１に組み付けられるホルダ５と、このホルダ５に装着される有機発光表示装置６と、この有機発光表示装置６を覆うように組み付けられる表示窓９を有するキャップ８と、前記有機発光表示装置６と前記ホルダとの間に装着される弾性部材（弾性両面テープ）１０とを具備する。【選択図】  図１
2009103983.tif 000002
【特許請求の範囲】
【請求項１】
（ａ）枠部材とコネクタが装着されるコネクタ収納部を有するベースと、
（ｂ）該ベースに組み付けられるホルダと、
（ｃ）該ホルダに装着される有機発光表示装置と、
（ｄ）該有機発光表示装置を覆うように組み付けられる表示窓を有するキャップと、
（ｅ）前記有機発光表示装置と前記ホルダとの間に装着される弾性部材とを具備することを特徴とする発光表示装置。
【請求項２】
前記有機発光表示装置が有機発光ダイオードパネルからなることを特徴とする請求項１記載の発光表示装置。
【請求項３】
前記弾性部材が弾性両面テープであることを特徴とする請求項１記載の発光表示装置。
【請求項４】
前記有機発光ダイオードパネルと前記コネクタとを前記ホルダ上を這って配置される制御用ＩＣを有するフレキシブルプリント基板で接続することを特徴とする請求項２記載の発光表示装置。
【請求項５】
前記制御用ＩＣを前記有機発光ダイオードパネルの裏面にＣＯＧ（チップオングラス）によって実装することを特徴とする請求項４記載の発光表示装置。
【請求項６】
前記弾性部材が前記有機発光表示装置と前記フレキシブルプリント基板に挟まれて配置されることを特徴とする請求項４記載の発光表示装置。
【請求項７】
前記ホルダと前記ベースとの間に弾性シートを配置するようにしたことを特徴とする請求項１記載の発光表示装置。
【発明の詳細な説明】
【技術分野】
【０００１】
本発明は、発光表示装置に係り、特に、視野角が広く、構成が簡便で、省電力型の好みの表示を所望の場所に配置することができる発光表示装置に関するものである。
【背景技術】
【０００２】
従来の発光表示装置は、ＳＴＮ液晶ディスプレイやプラズマディスプレイによって表示を行うようにしていた（下記特許文献１参照）。
【特許文献１】特開２００６−２３４８２号公報
【発明の開示】
【発明が解決しようとする課題】
【０００３】
しかしながら、上記した従来のＳＴＮ液晶ディスプレイでは、視野角が狭く、構成が複雑で、消費電力も嵩むといった問題があった。
【０００４】
本発明は、上記状況に鑑みて、視野角が広く、構成が簡便かつ省電力型でさらに好みの表示を所望の位置に配置することができる発光表示装置を提供することを目的とする。
【課題を解決するための手段】
【０００５】
本発明は、上記目的を達成するために、
〔１〕発光表示装置において、枠部材とコネクタが装着されるコネクタ収納部を有するベースと、このベースに組み付けられるホルダと、このホルダに装着される有機発光表示装置と、この有機発光表示装置を覆うように組み付けられる表示窓を有するキャップと、前記有機発光表示装置と前記ホルダとの間に装着される弾性部材とを具備することを特徴とする。
【０００６】
〔２〕上記〔１〕記載の発光表示装置において、前記有機発光表示装置が有機発光ダイオードパネルからなることを特徴とする。
【０００７】
〔３〕上記〔１〕記載の発光表示装置において、前記弾性部材が弾性両面テープであることを特徴とする。
【０００８】
〔４〕上記〔２〕記載の発光表示装置において、前記有機発光ダイオードパネルと前記コネクタとを前記ホルダ上を這って配置される制御用ＩＣを有するフレキシブルプリント基板で接続することを特徴とする。
【０００９】
〔５〕上記〔４〕記載の発光表示装置において、前記制御用ＩＣを前記有機発光ダイオードパネルの裏面にＣＯＧ（チップオングラス）によって実装することを特徴とする。
【００１０】
〔６〕上記〔４〕記載の発光表示装置において、前記弾性部材が前記有機発光表示装置と前記フレキシブルプリント基板に挟まれて配置されることを特徴とする。
【００１１】
〔７〕上記〔１〕記載の発光表示装置において、前記ホルダと前記ベースとの間に弾性シートを配置するようにしたことを特徴とする。
【発明の効果】
【００１２】
上述したように本発明の発光表示装置は、視野角が広く、構成が簡便かつ省電力型で、さらに好みの表示を所望の場所に配置することができる。
【発明を実施するための最良の形態】
【００１３】
本発明は、発光表示装置において、枠部材とコネクタが装着されるコネクタ収納部を有するベースと、このベースに組み付けられるホルダと、このホルダに装着される有機発光表示装置と、この有機発光表示装置を覆うように組み付けられる表示窓を有するキャップと、前記有機発光表示装置と前記ホルダとの間に装着される弾性部材とを具備する。
【実施例】
【００１４】
以下、本発明の実施の形態について詳細に説明する。
【００１５】
図１は本発明の実施例を示す発光表示装置の分解斜視図、図２は図１のＸ−Ｘ線断面図、図３は図１のＹ−Ｙ線断面図である。
【００１６】
これらの図において、１はベース、２はその枠部材、３はコネクタ４の収納部、５はホルダ、６はそのホルダ５に装着される有機発光表示装置（有機発光ダイオードパネル）、７は有機発光表示装置６とコネクタ４とを接続する電子部品７Ａ及び制御用ＩＣ７Ｂを実装するフレキシブルプリント基板、８は有機発光表示装置６を覆う表示窓９を有するキャップである。
【００１７】
このように、有機発光表示装置６を制御用ＩＣ７Ｂなどが実装されるフレキシブルプリント基板７でコネクタ４に接続し、有機発光表示装置６は表示窓９を有するキャップ８で覆うだけの極めて簡便な構成の発光表示装置を提供することができる。
【００１８】
図３に示すように、ベース１には突起１Ａが、キャップ８には係止穴８Ａがそれぞれ形成されており、ベース１が押し上げられて突起１Ａが係止穴８Ａに嵌まると、有機発光表示装置６が装着されたホルダ５が押し上げられた状態でキャップ８内に装着される。
【００１９】
さらに、有機発光表示装置６とホルダ５上を這って配置されるフレキシブルプリント基板７との間には弾性部材としての弾性両面テープ１０を配置する。この弾性両面テープ１０の配置により、各部品の微細な寸法設定を行わずに、有機発光表示装置６とホルダ５との間のガタツキを抑えることができる。また、ガタツキを抑えるために弾性両面テープ１０の下側には両面テープ１１が設けられる。１２は端子である。
【００２０】
図４は本発明の実施例を示す発光表示装置のキャップに装着される有機発光表示装置の組み立て方法を示す斜視図である。
【００２１】
まず、図４（ａ）に示すように、有機発光表示装置６の端子部６Ａにフレキシブルプリント基板７の先端部７Ｃを下方より押し当て、異方性導電性フィルム（図示なし）にて、フレキシブルプリント基板７を有機発光表示装置６の端子部６Ａに接続する〔図４（ｂ）〕。次いで、図４（ｃ）に示すように、フレキシブルプリント基板７が接続された有機発光表示装置６をホルダ５に装着する。
【００２２】
このように、本発明の発光表示装置は、有機発光表示装置（有機発光ダイオードパネル）６を備えているために、視野角が広く、構成が簡便で、省電力型であり、好みの表示を利用者が好きな場所に配置することができる。
【００２３】
即ち、この発光表示装置は、視野角を広くとることができるため、発光表示装置から横に離れた位置からでも、良好な視認性を確保することができる。
【００２４】
また、バックライトを必要としないので、構成が簡便で、しかも省電力化を図ることができる。
【００２５】
図５は本発明の他の実施例を示す図１のＸ−Ｘ線断面図、図６は本発明の他の実施例を示す図１のＹ−Ｙ線断面図である。
【００２６】
この実施例では、ホルダ５とベース１との間に弾性シート１３を配置するようにしている。
【００２７】
このように構成したので、発光表示装置を実装しているホルダ５のガタツキを防止するとともに、ベース１のキャップ８の下部からの装着によりキャップ８内の各部品をキャップ８内に確実に固定することができる。
【００２８】
さらに、フレキシブルプリント基板に実装される制御用ＩＣにより、好みの表示を行うことができ、しかも利用者が所望の場所に配置することができる。
【００２９】
図７は本発明の他の実施例を示す発光表示装置のキャップに装着される有機発光表示装置の組み立て方法を示す斜視図である。
【００３０】
この実施例では、制御用ＩＣ６Ｂは、図５に示すように、フレキシブルプリント基板７に実装するのではなく、有機発光表示装置６の裏面にＣＯＧ（チップオングラス）によって実装するようにしている。つまり、フレキシブルプリント基板７は専ら有機発光表示装置６とコネクタ４との間の接続のために用いられ、制御用ＩＣ６Ｂはフレキシブルプリント基板７には実装されない。
【００３１】
上記したように、本発明の発光表示装置の実用的効果は著大である。
【００３２】
なお、本発明は上記実施例に限定されるものではなく、本発明の趣旨に基づいて種々の変形が可能であり、これらを本発明の範囲から排除するものではない。
【産業上の利用可能性】
【００３３】
本発明の発光表示装置は、視野角が広く、構成が簡便で、省電力型であり、好みの表示を利用者が好きな場所に配置することができる発光表示装置として利用可能である。
【図面の簡単な説明】
【００３４】
【図１】本発明の実施例を示す発光表示装置の分解斜視図の分解斜視図である。
【図２】図１のＸ−Ｘ線断面図である。
【図３】図１のＹ−Ｙ線断面図である。
【図４】本発明の実施例を示す発光表示装置のキャップに装着される有機発光表示装置の組み立て方法を示す斜視図である。
【図５】本発明の他の実施例を示す図１のＸ−Ｘ線断面図である。
【図６】本発明の他の実施例を示す図１のＹ−Ｙ線断面図である。
【図７】本発明の他の実施例を示す発光表示装置のキャップに装着される有機発光表示装置の組み立て方法を示す斜視図である。
【符号の説明】
【００３５】
１    ベース
１Ａ    突起
２    枠部材
３    コネクタの収納部
４    コネクタ
５    ホルダ
６    有機発光表示装置（有機発光ダイオードパネル）
６Ａ    有機発光表示装置の端子部
７    フレキシブルプリント基板
７Ａ    電子部品
６Ｂ，７Ｂ    制御用ＩＣ
７Ｃ    フレキシブルプリント基板の先端部
８    キャップ
８Ａ    係止穴
９    表示窓
１０    弾性両面テープ
１１    両面テープ
１２    端子
１３    弾性シート
【図１】
2009103983.tif 000003
【図２】
2009103983.tif 000004
【図３】
2009103983.tif 000005
【図４】
2009103983.tif 000006
【図５】
2009103983.tif 000007
【図６】
2009103983.tif 000008
【図７】
2009103983.tif 000009